(57)【要約】【課題】本考案は、下半身全体をわずかなエネルギーで暖めることができるという従来のコタツのメリットを活かすとともに、物書き等で使用する机やテーブルとしても利用でき、かつ、イニシャルコストやランニングコストが低廉な暖房器付き机を提供する。【解決手段】略方形の上板と、該上板の四隅から垂設される４本の脚と、隣接する一対の該脚間に架設される背面板と、該背面板の背後に沿って上下方向に摺動する天板と、からなり、該天板は該背面板に沿って上部に摺動した後、該天板が略直角に前倒して該上板上に重置されるように形成され、上板、一対の側面部および前面部を被包する上掛けは前倒した該天板と該上板とにより挟持されるとともに、上掛けで被包された空間に暖房器を設置する構成とした。【選択図】図１
0003131223.tif 000002
【実用新案登録請求の範囲】
【請求項１】
略方形の上板と、
該上板の四隅から垂設される４本の脚と、
隣接する一対の該脚間に架設される略方形の背面板と、
該背面板の背後に在って該背面板に沿って上下方向に摺動する略方形の天板と、からなり、
該上板、４本の該脚および該背面板により背面部、該背面部の両脇に位置する一対の側面部および該背面部に対向する前面部が形成され、
該天板の下部には摺動板が蝶着され、該摺動板が該背面板に沿って上部に摺動して該天板が該摺動板に対し略直角に前倒することにより該天板が該上板上に重置され、
該上板、該側面部および該前面部を被包する上掛けは該上板と前倒した該天板とにより挟持され、
該上板、該背面板および該側面部により形成される暖気空間には必要に応じて暖房器が設置される、ことを特徴とする摺動式天板を具える暖房器付き机。
【請求項２】
前記摺動板は略方形の平板であって前記背面板の背後の両側端縁にはガイドレールが添設され該ガイドレールに該摺動板の両側端縁が嵌合して上下方向に摺動する、ことを特徴とする請求項１に記載の摺動式天板を具える暖房器付き机。
【請求項３】
該摺動板は１つ以上の帯状の平板であって前記背面板の背後面には該摺動板に対置する１つ以上のガイドレールが上下方向に添設され該ガイドレールが形成する断面が方形の挿入孔に該摺動板が挿入されて上下方向に摺動する、ことを特徴とする請求項１に記載の摺動式天板を具える暖房器付き机。
【請求項４】
前記側面部の前記脚間には略方形の側面板が架設される、ことを特徴とする請求項１ないし請求項３のいずれかに記載の摺動式天板を具える暖房器付き机。
【請求項５】
前記上板の表面には雌雄一対の係止具の一方が固着され、
前記上掛けの該係止具の一方に対応する表面には該係止具の他方が固着されて、該係止具の一方と他方とが係止される、ことを特徴とする請求項１ないし請求項４のいずれかに記載の摺動式天板を具える暖房器付き机。
【請求項６】
前記背面板および／または前記側面板は断熱パネルで構成されている、ことを特徴とする請求項１ないし請求項５のいずれかに記載の摺動式天板を具える暖房器付き机。
【請求項７】
前記側面部には前記天板の側面前部と該側面部の前記背面部側下部または前記ガイドレールの下部に架渡される固定帯が付設され、該側面部を被包する前記上掛けは該固定帯により固定される、ことを特徴とする請求項１ないし請求項６のいずれかに記載の摺動式天板を具える暖房器付き机。
【請求項８】
前記暖気空間内の一対の前記側面板の下端間には底板が架設されている、ことを特徴とする請求項１ないし請求項７のいずれかに記載の摺動式天板を具える暖房器付き机。
【考案の詳細な説明】
【技術分野】
【０００１】
本考案は、座椅子や腰掛け椅子に座って使用する暖房器付き机に関する。
【背景技術】
【０００２】
従来から使用されている暖房具にコタツがあるが、このコタツは畳に座る日本の生活習慣に適したものであり、下半身全体をわずかなエネルギーで暖めることができるというメリットがある。一方で、近年では、椅子に座る生活習慣が定着してきているとともに核家族化が進んでいることから、机に暖房器を組み込んだ考案が提案されていて、その一例として、「冬場のイス掛け机使用時の足元の冷えを予防する」ことを目的とした考案が実開平７−２５８４１号公報に開示されている。
【０００３】
この考案は、「イス掛け用机の下に電熱器を設け、机の下の背面、左右側面を壁等で覆う」構成とすることにより、その目的を達成しようとしたものであるが、机使用時の足元の冷えを予防するとはいっても、壁等に覆われていない机の前面から隙間風が入り込んだり、電熱器で暖められた暖気が机の前面から逃げたりして効率的に下半身全体を暖めることはできない。
【０００４】
このような不都合を解消するために、本出願人は、従来のコタツのメリットを活かし、かつ、椅子に座る習慣に配慮するとともに一人で使用する暖房器付き机に関する４件の考案を出願していて、これらの考案は、それぞれ登録実用新案第３１１７９５２号公報、登録実用新案第３１２１５５７号公報、登録実用新案第３１２３７８３号公報および登録実用新案第３１２７２０８号公報に開示されている。
【０００５】
登録実用新案第３１１７９５２号公報に開示の考案は、「コタツを、一対の側面板および背面板から構成される壁面と天板および底板から形成される筐体の内部に暖房器を設置し、前記の天板上に回動可能に甲板を重置し、前記の天板と甲板に上掛けの一辺を挟着させ、天板から垂れ下がった裾を側面板に固定する構成とする一方、椅子を、座板の周縁部から下方向に垂設される連続壁状の脚部からなり、かつ、前記の脚部を平板状の台上に固着し、前記の台が平板状の下敷き上を一方向にのみ移動できるように構成」している。
【０００６】
また、登録実用新案第３１２１５５７号公報に開示の考案は、「略方形の天板と、前記天板の両側面部から垂設されて該天板を床面から支持する一対の側面断熱パネルと、前記天板の背面部にあって前記一対の側面断熱パネル間に架設される背面断熱パネルと、前記天板、前記一対の側面断熱パネルおよび前記背面断熱パネルとに囲繞された天板下空間内に設置される暖房器と、からなり、前記天板を背面側と前面側に２分割し、背面側の天板を数種類の天板と交換可能な構成」としている。
【０００７】
そして、登録実用新案第３１２３７８３号公報に開示の考案は、「上面板、一対の側面板および背面板から形成される前面のみが開放された天板下空間内の開放面側に、上面板および一対の側面板に所定の距離を隔てて平行に上面押え板および側面押え板を設け、上面板と上面押え板との間および側面板と側面押え板との間で上掛けの一辺を挟持させ、該上掛けが前記筐体の開放面を緩やかに被包するようにするとともに、前記天板下空間内に暖房器を設置する構成」としている。
【０００８】
さらに、登録実用新案第３１２７２０８号公報に開示の考案は、「天板、一対の側面板および背面板から構成される前面が開放された外筐体と、上面板、一対の側面内板から構成される前後面が開放された内筐体とからなり、該一対の側面板の前半部は該内筐体に対し回動自在に構成され、該天板と該上面板および該一対の側面板と一対の側面内板が形成する間隙に上掛けの一辺を挟入させて該上掛けが該内筐体の前面を被包するようにするとともに、該外筐体内の後半部に暖房器を設置する構成」としている。
【特許文献１】実開平７−２５８４１号公報
【特許文献２】登録実用新案第３１１７９５２号公報
【特許文献３】登録実用新案第３１２１５５７号公報
【特許文献４】登録実用新案第３１２３７８３号公報
【特許文献５】登録実用新案第３１２７２０８号公報
【考案の開示】
【考案が解決しようとする課題】
【０００９】
本願出願人のこれらの考案は、「従来のコタツのメリットを活かし、かつ、椅子に座る習慣に配慮した暖房器付き机」であるが、実際に製造すると部品点数が多いことや特殊な金具を使用するために製造コストが掛かる、という課題があった。
【００１０】
そこで、本考案は、下半身全体をわずかなエネルギーで暖めることができるという従来のコタツのメリットを活かすとともに、物書き等で使用する机やテーブルとしても利用でき、かつ、イニシャルコストやランニングコストが低廉な暖房器付き机を提供することを目的とする。
【課題を解決するための手段】
【００１１】
上記課題を解決するために、請求項１に係る摺動式天板を具える暖房器付き机は、略方形の上板と、該上板の四隅から垂設される４本の脚と、隣接する一対の該脚間に架設される略方形の背面板と、該背面板の背後に在って該背面板に沿って上下方向に摺動する略方形の天板と、からなり、該上板、４本の該脚および該背面板により背面部、該背面部の両脇に位置する一対の側面部および該背面部に対向する前面部が形成され、該天板の下部には摺動板が蝶着され、該摺動板が該背面板に沿って上部に摺動して該天板が該摺動板に対し略直角に前倒することにより該天板が該上板上に重置され、該上板、該側面部および該前面部を被包する上掛けは該上板と前倒した該天板とにより挟持され、該上板、該背面板および該側面部により形成される暖気空間には暖房器が設置される、ことを特徴としている。
なお、背面板の背後とは、背面板の前面部側とは反対の面をいう。
また、請求項２に係る摺動式天板を具える暖房器付き机は、請求項１に記載の摺動式天板を具える暖房器付き机であり、前記摺動板は略方形の平板であって前記背面板の背後の両側端縁にはガイドレールが添設され該ガイドレールに該摺動板の両側端縁が嵌合して上下方向に摺動する、ことを特徴としている。
そして、請求項３に係る摺動式天板を具える暖房器付き机は、請求項１に記載の摺動式天板を具える暖房器付き机であり、該摺動板は１つ以上の帯状の平板であって前記背面板の背後面には該摺動板に対置する１つ以上のガイドレールが上下方向に添設され該ガイドレールが形成する断面が方形の挿入孔に該摺動板が挿入されて上下方向に摺動する、ことを特徴としている。
さらに、請求項４に係る摺動式天板を具える暖房器付き机は、請求項１ないし請求項３のいずれかに記載の摺動式天板を具える暖房器付き机であって、前記側面部の前記脚間には略方形の側面板が架設される、ことを特徴としている。
また、請求項５に係る摺動式天板を具える暖房器付き机は、請求項１ないし請求項４のいずれかに記載の摺動式天板を具える暖房器付き机であって、前記上板の表面には雌雄一対の係止具の一方が固着され、前記上掛けの該係止具の一方に対応する表面には該係止具の他方が固着されて、該係止具の一方と他方とが係止される、ことを特徴としている。
そして、請求項６に係る摺動式天板を具える暖房器付き机は、請求項１ないし請求項５のいずれかに記載の摺動式天板を具える暖房器付き机であって、前記背面板および／または前記側面板は断熱パネルで構成されている、ことを特徴としている。
なお、断熱パネルとは通常の板材よりも断熱性能の高い、たとえば、グラスウール、ガラス繊維等で積層された板材をいう。
さらに、請求項７に係る摺動式天板を具える暖房器付き机は、請求項１ないし請求項６のいずれかに記載の摺動式天板を具える暖房器付き机であって、前記側面部には前記天板の側面前部と該側面部の前記背面部側下部または前記ガイドレールの下部に架渡される固定帯が付設され、該側面部を被包する前記上掛けは該固定帯により固定される、ことを特徴としている。
また、請求項８に係る摺動式天板を具える暖房器付き机は、請求項１ないし請求項７のいずれかに記載の摺動式天板を具える暖房器付き机であって、前記暖気空間内の一対の前記側面板の下端間には底板が架設されている、ことを特徴としている。
【考案の効果】
【００１２】
本願考案は上記の構成により以下の効果を奏する。
（１）本願考案は方形の上板、４本の脚、方形の背面板および方形の天板から構成されていて、これらをすべて木製とすることができ、木製とした場合には、材料は容易に調達できその加工も容易であるので、製造コストを下げることができる。
（２）また、使用する金具は、天板および摺動板を蝶着する蝶番と摺動板を摺動させるためのガイドレール程度であり、これらの金具には既製品を使用することができるので、特殊な金具をまったく必要としない。なお、ガイドレールについては、木製とすることもできる。
（３）そして、暖房器付き机としての使用時には、上掛けの表面を摺動式の天板で覆うので、テーブルや机として使用することができる。また暖房具として使用しない時には、摺動式の天板で上板の表面を覆っても良く、あるいは、摺動式の天板を背面板の背後に収納しても良い。
（４）さらに、脚の長さを変えるだけで腰掛け椅子や座椅子に座って使用する暖房器付き机とすることができる。
（５）また、側面板や底板を構成要素とした場合には、摺動式天板を具える暖房器付き机の剛性を高くすることができる。
（６）そして、背面板および／または側面板を断熱パネルとした場合には、上掛けの保温効果と相俟って暖気空間の保温性能を高めることができるので、暖房器に掛かる電気代を節約することができ、ランニングコストの低減を図ることができる。なお、断熱パネルを、たとえば、木毛板のような木質系とすることにより、切断や成形などの加工も容易におこなえる。
【考案を実施するための最良の形態】
【００１３】
本考案を実施するための最良の形態に係る実施例１および実施例２について、図１ないし図６に基づいて説明する。ここで、図１は、実施例１に係る摺動式天板を具える暖房器付き机の斜視図、図２は図１のII−II矢視断面図、図３は実施例１に係る摺動式天板を具える暖房器付き机の裏面図、図４は、実施例２に係る摺動式天板を具える暖房器付き机の斜視図、図５は図４のＶ−Ｖ矢視断面図、図６は実施例２に係る摺動式天板を具える暖房器付き机の裏面図、である。そして、符号１は実施例１に係る摺動式天板を具える暖房器付き机、符号２は実施例２に係る摺動式天板を具える暖房器付き机、符号１１は上板、符号１３は脚、符号１５は背面板、符号１７は天板、符号１８は摺動板、符号１７５は蝶番、符号１９は側面板、符号２１はガイドレール、符号２３は固定帯、符号２５は暖気空間、符号３０は暖房器、符号４０は上掛け、符号５０は座椅子、である。
【実施例１】
【００１４】
まず、実施例１に係る摺動式天板を具える暖房器付き机の構成について、図１ないし図３を基に説明する。
【００１５】
摺動式天板を具える暖房器付き机１（以下、単に「暖房器付き机１」という。）は、上板１１、４本の脚１３、背面板１５、天板１７、摺動板１８、一対の側面板１９、１９、一対のガイドレール２１、２１および一対の固定帯２３から構成されている。
上板１１は略方形の平板であって、その四隅から４本の脚１３が垂設されて、４本の脚１３により上板１１が床面から支持されている。そして、略方形の平板である側面板１９が一対の脚１３、１３間に架設されるとともに側面板１９の下端縁は床面に接し、側面板１９と一対の脚１３、１３は一体となっていて、外観上、脚１３、１３と側面板１９とは判別できず、脚１３は構造上の存在となっている。
【００１６】
略方形の平板である背面板１５もまた、側面板１９と同様に、隣接する脚１３、１３間に架設されるとともに背面板１５の下端縁は床面に接し、背面板１５と脚１３、１３は一体となっている。
そして、背面板１５により暖房器付き机１の背面部が形成され、側面板１９により暖房器付き机１の側面部が形成され、上板１１の前面側と一対の側面板１９、１９により暖房器付き机１の前面部が形成される。さらに、上板１１、一対の側面板１９、１９および背面板１５により前面側のみが開放された暖気空間２５が形成されている。なお、暖房器付き机１の前面とは、背面板１５に対向する側であって、暖房器付き机１を使用する使用者に接する側をいう。
【００１７】
略方形の天板１７と摺動板１８とは、３個の蝶番１７５を介して相互に蝶着されている。そして、天板１７と摺動板１８の幅は略同一であって、摺動板１８の長さは天板１７１の長さの１／２ないし１／３程度となっていて、天板１７と略方形の摺動板１８とは幅方向が平行になるように蝶着されている。
【００１８】
また、背面板１５の前面側とは反対側の背後面には、その左右両端縁に断面がコの字形の一対のガイドレール２１、２１が、開口方向を背面板１５の垂直の中心線に向けて添設されていて、一対のガイドレール２１、２１に摺動板１８の両側端縁が嵌合して上下方向に摺動するようになっている。さらに、実施例１では、天板１７の両側端縁もまた一対のガイドレール２１、２１に嵌合して上下方向に摺動するようになっていて、天板１７が上方向に摺動することにより、天板１７の両側端縁が一対のガイドレール２１、２１から外れて天板１７が略直角に前倒して上板１１上に重置されるようになっている。
【００１９】
固定帯２３は細長い帯状または紐状を呈していて、その両端部には貫通孔が貫設されている。そして、天板１７の側面前部とガイドレール２１の下部から突設された貫通ピンあるいはフックが固定帯２３の貫通孔と係着することにより固定帯２３が暖房器付き机１に固定される。
【００２０】
また、上板１１の背面板１５側の表面には、雌雄一対の係止具の一方である雄型面ファスナー（図示外）が糊着されていて、上掛け４０の裏面に縫着された雌雄一対の係止具の他方である雌型面ファスナー（図示外）と係止されるようになっている。そして、天板１７を前倒させて、天板１７と上板１１との間で上掛け４０を挟持させた後、上板１１の表面と側面板１５の表面、および前面部を被包した上掛け４０に、固定帯２３を押し当てて固定することにより、上掛け４０は暖房器付き机１に確固に固定される。なお、本実施例では、雌雄一対の係止具として、面ファスナーを使用しているが、面ファスナー以外のスナップ、ホック、ボタンとボタンホールなどであっても良い。
【００２１】
暖房器付き机１は、暖房器を必ずしも必要とするものではないが、暖房器を使用する場合には、この暖房器をテーブル式コタツ用のヒーターユニットや床置き式のヒーターユニットとすることができ、本実施例では、暖房器３０にパネル式のヒータを使用していて、３つの方形のパネルを開閉自在に連結した屏風状となっている。
【００２２】
また、暖房器付き机１では、図１に示すように座椅子５０が使用されているが、４本の脚の高さを変えることにより、座椅子５０に代えて腰掛け用の椅子を使用することもできることは勿論である。なお、この場合には、背面板１５および一対の側面板１９の高さも変えて床面との間に隙間が生じないようにすることも勿論である。
【００２３】
暖房器付き机１の構成要素の内、上板１１、脚１３、背面板１５、天板１７、摺動板１８および側面板１９については、本実施例では木製としている。また、ガイドレール２１については木製とすることができるが、強度の面からは金属製が望ましい。そして、固定帯２３については木製としても、あるいは布製としても良い。
なお、暖房器付き机１の構成要素として、底板を加えても良い。この場合、底板は一対の側面板１９、１９間に架設するが、単に床面上に着脱自在に載置しても良い。
【００２４】
つぎに暖房器付き机１の使用手順の例について以下に示す。
（１）暖房機３０を略コの字に開いて、暖気空間２５内の側面板１９、１９、および背面板１５に近接させて設置する。
（２）天板１７を背面板１５の背後に倒立させ、上板１１の表面に糊着されている雄型面ファスナーに上掛け４０の裏面に縫着されている雌型面ファスナーを係止させて、上掛け４０で上板１１の表面と側面板１５の表面、および暖房器付き机１の前面部を被包する。
（３）天板１７を上方向に摺動させた後、天板１７を前倒させ、上板１１と天板１７で上掛け４０を挟む。
（４）固定帯２３を上掛け４０に押し当てながら固定帯２３の両端部の貫通孔を天板１７の側面前部とガイドレール２１の下部から突設された貫通ピンに係着させて、上掛け４０を側面板１９と固定帯２３で挟む。
（５）暖房機３０のスイッチを入れる。
以上の手順により、暖房器付き机１を暖房具として使用することができる。
【００２５】
暖房器付き机１を暖房具として使用しない場合には、上記手順を逆に行うことにより、暖房器付き机１を単なるテーブルや机として使用することができる。この場合、天板１７を背面板１５の背後に倒立させても良く、あるいは、天板１７を上板１１上に重置させても良い。
【実施例２】
【００２６】
つぎに、実施例２に係る摺動式天板を具える暖房器付き机の構成について、図４ないし図６を基に説明するが、実施例１と実施例２とは、略同一の構成であり、異なるところは、天板１７に関する構成であるので、実施例２に係る摺動式天板を具える暖房器付き机については、主に、天板１７について説明する。
【００２７】
摺動式天板を具える暖房器付き机２（以下、単に「暖房器付き机２」という。）が上板１１、４本の脚１３、背面板１５、天板１７、一対の側面板１９、１９、一対のガイドレール２１、２１および一対の固定帯２３から構成されていることは、暖房器付き机１と同様であり、上板１１、４本の脚１３、背面板１５、一対の側面板１９、１９、および一対の固定帯２３の構成についてはまったく同一であるので、その説明を省略する。
【００２８】
略方形の天板１７の下部には、一対の帯状の摺動板１８、１８が蝶番１７５、１７５を介して蝶着されている。一方、背面板１７の背後には上下方向に断面がハット形の一対のガイドレール２１、２１が添設され、ガイドレール２１と背面板１７により断面が長方形の挿入孔が形成され、この挿入孔に摺動板１８が挿入されて上下方向に摺動する。そして、摺動板１８および天板１７が上方向に摺動することにより、天板１７が略直角に前倒して上板１１上に重置されるようになっている。
なお、本実施例では、ガイドレール２１の断面をハット形としているが、角パイプを使用しても良く、さらに、ガイドレール２１を１本物とせずに、同じ断面の物を上下方向に複数個並べても良い。
【００２９】
固定帯２３、暖気空間２５、暖房器３０、上掛け４０および座椅子５０については、暖房器付き机１と同様であるので、その説明を省略する。
また、暖房器付き机２の使用手順も暖房器付き机１と同様であるので、その説明を省略する。
【図面の簡単な説明】
【００３０】
【図１】図１は、実施例１に係る摺動式天板を具える暖房器付き机の斜視図である。
【図２】図２は、図１のII−II矢視断面図である。
【図３】図３は、実施例１に係る摺動式天板を具える暖房器付き机の裏面図である。
【図４】図４は、実施例２に係る摺動式天板を具える暖房器付き机の斜視図である。
【図５】図５は、図４のＶ−Ｖ矢視断面図である。
【図６】図６は、実施例２に係る摺動式天板を具える暖房器付き机の裏面図である。
【符号の説明】
【００３１】
１  実施例１に係る摺動式天板を具える暖房器付き机
２  実施例２に係る摺動式天板を具える暖房器付き机
１１  上板
１３  脚
１５  背面板
１７  天板
１８  摺動板
１９  側面板
２１  ガイドレール
２３  固定帯
２５  暖気空間
３０  暖房器
４０  上掛け
【図１】
0003131223.tif 000003
【図２】
0003131223.tif 000004
【図３】
0003131223.tif 000005
【図４】
0003131223.tif 000006
【図５】
0003131223.tif 000007
【図６】
0003131223.tif 000008